(57)【特許請求の範囲】
【請求項１】
棒材を組み合わせてカゴ状に形成され、一端部に苗箱を出し入れする開口部（５）が設けられて該開口部（５）の周縁部に外方へ突出する突出部（２０）が設けられ、他端部は苗箱が出し入れできない底部（３）となっていて、その内部には複数の苗箱を並列に収納することができるように仕切り（１５）が設けられた苗箱保持用の保持枠であって、前記開口部（５）に設けられた長方形の開口枠（７）から縦枠（９）が延設され、該縦枠（９）の開口部側に外向きに形成されたカギ型の屈曲部（９ａ）の先端部が前記開口枠（７）に固着され、さらにＵ字状の連結枠（１０）が設けられて、その一対の先端部（１０ａ）が前記縦枠（９）の屈曲部（９ａ）に連結されることにより仕切り（１５）が形成され、当該仕切り（１５）が開口枠（７）に沿って複数組設けられるとともに、前記連結枠（１０）の奥側の左右連結部分（１０ｂ）が横枠（１７）によって互いに連結されて底部（３）となっていることを特徴とする苗箱保持枠。
【発明の詳細な説明】
【０００１】
【発明の属する技術分野】
本発明は、複数の苗箱をまとめて保持するために使用される保持枠に関するものである。
【０００２】
【従来の技術】
苗移植機に使用する苗を育成する苗箱として、図７、図８に示すような苗箱Ｃが使用されている。この苗箱Ｃは、多数の育苗ポットＣａ，…を同一平面上に整然と並べたもので、その両側部にはフランジ状の縁部Ｃｂ，Ｃｂが形成されている。この苗箱Ｃは、空の状態では複数個を互いに積み重ねて取り扱うことができるが、ポットＣａに苗が育成されている場合は、苗箱を直接積み重ねることができないので、１個づつ取り扱わねばならず、不便であった。
【０００３】
【発明が解決しようとする課題】
本発明は、育成されている苗を痛めないように、複数の苗箱をまとめて保持することができ、しかもその取扱が極めて便利な苗箱保持枠を提供することを課題としている。
【０００４】
【課題を解決するための手段】
本発明にかかる苗箱保持枠は、棒材を組み合わせてカゴ状に形成され、一端部に苗箱を出し入れする開口部（５）が設けられて該開口部（５）の周縁部に外方へ突出する突出部（２０）が設けられ、他端部は苗箱が出し入れできない底部（３）となっていて、その内部には複数の苗箱を並列に収納することができるように仕切り（１５）が設けられた苗箱保持用の保持枠であって、前記開口部（５）に設けられた長方形の開口枠（７）から縦枠（９）が延設され、該縦枠（９）の開口部側に外向きに形成されたカギ型の屈曲部（９ａ）の先端部が前記開口枠（７）に固着され、さらにＵ字状の連結枠（１０）が設けられて、その一対の先端部（１０ａ）が前記縦枠（９）の屈曲部（９ａ）に連結されることにより仕切り（１５）が形成され、当該仕切り（１５）が開口枠（７）に沿って複数組設けられるとともに、前記連結枠（１０）の奥側の左右連結部分（１０ｂ）が横枠（１７）によって互いに連結されて底部（３）となっていることを特徴としている。
【０００５】
この苗箱保持枠は、一端部に設けられている開口部から苗箱を出し入れする。苗箱保持枠自体が棒材（軽量化及び強度の観点から、中空の金属パイプを用いるのが好ましい）でカゴ状に形成されているので、軽量であるとともに、内部の観察が容易である。また、保持枠の内部には仕切りが設けられ、複数の苗箱を並列に重複した状態で保持することができるようになっているので、複数の苗箱をひとまとめにして取り扱うことができる。しかも、開口部周縁部には、外方に突出する突出部が設けられているので、その突出部を下にして地面等に置くと、開口部が若干持ち上がった状態となり、苗箱の出し入れ等に便利であるとともに、内部の苗箱が逸脱しにくい。
【０００６】
【発明の実施の形態】
以下、図１に表された実施の形態に基づいて、具体的に説明する。
【０００７】
この苗箱保持枠（以下、「保持枠」と呼ぶ）１は、棒材として断面円形の金属パイプ２が用いられ、これらパイプによってカゴ状に形成されている。棒材としては、中実の棒材でもよいが、軽量化のためには、パイプ材（鉄鋼、アルミ合金等の金属パイプ、塩化ビニール等の合成樹脂パイプ）を用いるのが好ましい。
【０００８】
保持枠１の一方の端部は、苗箱が出し入れできない底部３であり、反対側の端部は苗箱を出し入れする開口部５となっている。開口部５には、図２に示すように、長方形の開口枠７が設けられ、この開口枠７から仕切りを兼ねた縦枠９，…が長手方向に延設されている。縦枠９は、開口部側にカギ型の屈曲部９ａが形成され、その先端部が前記開口枠７に固着（Ｐ1 ）されている。
【０００９】
前記縦枠９と開口枠７との固着部（Ｐ1 ）のやや手前には、概略Ｕ字状の連結枠１０の先端部が固着（Ｐ2 ）されている。すなわち、図３に示されているように、Ｕ字状の連結枠１０の一対の先端部１０ａ，１０ａがそれぞれの側に設けられた縦枠の屈曲部９ａ，９ａに連結され、該縦枠と連結枠とで仕切り１５が形成されている。一対の縦枠９，９と連結枠１０とで構成される仕切り１５は、前記開口枠７の長手方向に沿って複数組（図示例では５組）設けられているので、これら仕切り１５，…によって、開口枠の内側に複数（図示例では４箇所）の苗箱収納部Ｈ，…が形成されている。図示例の仕切り１５は、保持枠１の内部を完全に仕切るものではなく、保持する苗箱Ｃの両側の縁部Ｃｂ，Ｃｂが係止するもので、これにより、隣接する苗箱同士が直接接触しないように保持されるが、このように縁部Ｃｂを係止させる代わりに、棚状の仕切りを設け、苗箱の底部を載せて保持するようにしてもよい。
【００１０】
なお、前記連結枠１０の奥側の左右連結部分１０ｂは保持枠１の底部３を構成しており、複数の連結枠の当該底部１０ｂ，…がその外側に固着した横枠１７，１７によって互いに連結されている。
【００１１】
前記複数の仕切り１５，…はすべて前記開口枠７に固着されており、これら最も外側の仕切り１５，１５からはみ出す開口枠部分は、門型の突出部２０，２０となっている。この部分の突出量は、数十ｍｍ程度である。この突出部２０は、保持枠１を平地に設置したとき開口部側を持ち上げるためのものであり、図示例のような門型のものに限らず、複数の棒を突出させた脚状のものでもよく、他の形状のものでもよい。
【００１２】
この保持枠１を用いて苗箱Ｃ，…を保持する場合は、苗箱Ｃを前記開口部５から各苗箱収納部Ｈに挿入する。図示例の保持枠１には５箇所の収納部Ｈ，…が設けられているので、保持枠１個につき５個の苗箱を保持することができる。この場合、保持枠１をその底部３を下にして、開口部５を上に向けて起立させておくと、苗箱の挿入が容易である。苗箱を入れた保持枠１は、その開口部に設けられている突出部２０が床面に当接するように、寝かせた状態で設置しておくことにより、苗Ｎ，…が上を向くように保持することができる。この状態では、保持枠１の開口部５が突出部２０の高さ相当分だけ持ち上げられ、開口部５側が底部側よりも若干高く傾斜した状態となる。このため、苗箱の取り出しが容易であり、また、一旦挿入した苗箱が抜け出しにくい。しかしながら、場合によっては、突出部２０が左右横方向に突出するように保持枠１を９０度回転させた状態で設置することもできる。なお、突出部２０を下に位置させた傾斜状態では、苗箱Ｃに育成されている苗Ｎが上を向くように保持され、突出部２０を横向きにした水平状態では、苗Ｎが横向きとなる。
【００１３】
複数の苗箱Ｃ，…を収納した保持枠１は、人手等で持ち上げることができるので、運搬用の移動台車や苗移植機への積み込み、積み降ろしに便利である。また、苗箱Ｃ，…を収納した保持枠１を人手等で持ち上げて水槽、溜め池等の水に浸し、移植前の灌水や、苗箱底面の土落とし等を行うことができる。図８は、苗箱を収納した状態をあらわし、図９は、苗移植機Ｍの予備苗載台Ｍａへ積み込んだ状態をあらわす。苗移植機に苗保持枠１ごと積み込んで保持することができるので、便利であり、しかも、前記突出部２０を利用して苗載台へ係止することができるという利点もある。
【００１４】
【発明の効果】
以上に説明した如く、本発明にかかる苗箱保持枠は、カゴ状に形成されているので、軽量であるとともに、保持されている苗箱の観察が容易である。また、複数の苗箱を互いに重複させた状態で並列に保持することができ、複数の苗箱をひとまとめにして取り扱うことができ、苗移植機に苗箱保持枠ごと積み込んで保持することができるので、実用上便利である。しかも、苗箱を出し入れする開口部周縁部に突出部が形成されており、当該突出部を下にして平地に設置したとき開口部側が高位となるので、苗箱の挿入や保持されている苗箱の取出しが容易であり、移動台車や苗移植機等に積載したとき、震動があっても苗箱が逸脱しにくいものとなった。
【図面の簡単な説明】
【図１】苗箱保持枠の具体例をあらわす斜視図である。
【図２】その開口部側から視た正面図である。
【図３】その下面図である。
【図４】その側面図である。
【図５】図２におけるＡーＡ断面図である。
【図６】苗箱の平面図である。
【図７】（ａ）図６のＡ１矢視図、（ｂ）図６のＡ２矢視図である。
【図８】苗箱を挿入した状態の斜視図である。
【図９】苗移植機（田植機）の全体側面図である。
【符号の説明】
Ｃ  苗箱
Ｃａ  育苗ポット
Ｃｂ  縁部
Ｎ  苗箱
Ｍ  苗移植機
１  苗箱保持枠
２  パイプ（棒材）
３  底部
５  開口部
７  開口枠
９  縦枠
９ａ  屈曲部
１０  連結枠
２０  突出部
【図１】
0003928145.tif 000002
【図２】
0003928145.tif 000003
【図３】
0003928145.tif 000004
【図４】
0003928145.tif 000005
【図５】
0003928145.tif 000006
【図６】
0003928145.tif 000007
【図７】
0003928145.tif 000008
【図８】
0003928145.tif 000009
【図９】
0003928145.tif 000010